【手続補正書】
【提出日】平成22年12月27日(2010.12.27)
【手続補正１】
【補正対象書類名】特許請求の範囲
【補正対象項目名】全文
【補正方法】変更
【補正の内容】
【特許請求の範囲】
【請求項１】
得られたビットストリームにおけるマルチビュー・ビデオ・コンテンツと、少なくとも１つのハイレベル・シンタックスエレメントにおけるマルチビュー・ビデオ・コンテンツのためのマルチビュー符号化情報とを符号化する符号化器を含む、装置。
【請求項２】
前記少なくとも１つのハイレベル・シンタックスエレメントは、スライス・ヘッダ、シーケンス・パラメータ・セット、ピクチャ・パラメータ・セット、ビュー・パラメータ・セット、ネットワーク抽象化レイヤー・ユニット・ヘッダ、および、付加拡張情報メッセージのうちの少なくとも１つを含む、請求項１に記載の装置。
【請求項３】
前記マルチビュー符号化情報は、符号化されたカメラ・ビュー情報、符号化されていないカメラ・ビュー情報、および、フリー・ビューポイント情報のうちの少なくとも１つを含む、請求項１に記載の装置。
【請求項４】
前記符号化カメラ・ビュー情報は、符号化されたカメラ・ビューの数と符号化されたカメラ・ビューの各々の特性との少なくとも一方を含み、前記符号化されたカメラ・ビューの数は、前記マルチビュー・ビデオ・コンテンツに対応する符号化されたカメラ・ビューの合計数のうちの１つ以上である、請求項３に記載の装置。
【請求項５】
前記符号化されたカメラ・ビューの各々の特性は、スケーラビリティ情報、ビュー・スケーラビリティ情報、ビュー依存性情報、関心領域情報、ビットレート、フレームサイズ、フレームレート、初期パラメータ・セット、カメラ・パラメータ、復号器仕様、ビットストリーム制限情報、ビュー識別子、および符号化順情報のうちの少なくとも１つを含み、前記スケーラビリティ情報は、時間スケーラビリティ情報、空間スケーラビリティ情報、および、ＳＮ比スケーラビリティ情報のうちの少なくとも１つを含み、前記復号器仕様はプロフィールおよびレベル情報とプロフィールおよびレベル制約情報とのうちの少なくとも１つにより示される、請求項４に記載の装置。
【請求項６】
前記符号化されていないカメラ・ビュー情報は、符号化されていないカメラ・ビューの数と符号化されていないカメラ・ビューの各々の特性とのうちの少なくとも一方を含み、前記符号化されたカメラ・ビューの数は、前記マルチビュー・ビデオ・コンテンツに対応する符号化されたカメラ・ビューの合計数のうちの１つ以上である、請求項３に記載の装置。
【請求項７】
前記符号化されていないビューの各々の特性は、ビュー識別子、ビュー補間情報、および、カメラ・パラメータの少なくとも１つを含む、請求項６に記載の装置。
【請求項８】
前記フリー・ビューポイント情報は、所与のビューポイントおよびビューアングルで少なくとも１つのビューを生成するためのパラメータおよび方法のうちの少なくとも１つを含む、請求項３に記載の装置。
【請求項９】
前記少なくとも１つのビューを生成するためのパラメータは、カメラ・アレイ設定、ナビゲーション空間の解像度、該ナビゲーション空間における特定の位置をレンダリングするための符号化されたカメラ・ビューのセットうちの少なくとも１つを含む、請求項７に記載の装置。
【請求項１０】
前記少なくとも１つのハイレベル・シンタックスエレメントは、前記ビットストリームに関して、インバンドおよびアウトオブバンドの少なくとも一方で送信される、請求項１に記載の装置。
【請求項１１】
得られたビットストリームにおけるマルチビュー・ビデオ・コンテンツを符号化することと、少なくとも１つのハイレベル・シンタックスエレメントにおけるマルチビュー・ビデオ・コンテンツのためのマルチビュー符号化情報を符号化することとを含む、方法。
【請求項１２】
前記少なくとも１つのハイレベル・シンタックスエレメントは、スライス・ヘッダ、シーケンス・パラメータ・セット、ピクチャ・パラメータ・セット、ビュー・パラメータ・セット、ネットワーク抽象化レイヤー・ユニット・ヘッダ、および、付加拡張情報メッセージのうちの少なくとも１つを含む、請求項１１に記載の方法。
【請求項１３】
前記マルチビュー符号化情報は、符号化されたカメラ・ビュー情報、符号化されていないカメラ・ビュー情報、および、フリー・ビューポイント情報のうちの少なくとも１つを含む、請求項１１に記載の方法。
【請求項１４】
前記符号化されたカメラ・ビュー情報は、符号化されたカメラ・ビューの数と符号化されたカメラ・ビューの各々の特性との少なくとも一方を含み、前記符号化されたカメラ・ビューの数は、前記マルチビュー・ビデオ・コンテンツに対応する符号化されたカメラ・ビューの合計数のうちの１つ以上である、請求項１３に記載の方法。
【請求項１５】
前記符号化されたカメラ・ビューの各々の特性は、スケーラビリティ情報、ビュー・スケーラビリティ情報、ビュー依存性情報、関心領域情報、ビットレート、フレームサイズ、フレームレート、初期パラメータ・セット、カメラ・パラメータ、復号器仕様、ビットストリーム制限情報、ビュー識別子、および符号化順情報のうちの少なくとも１つを含み、前記スケーラビリティ情報は、時間スケーラビリティ情報、空間スケーラビリティ情報、および、ＳＮ比スケーラビリティ情報のうちの少なくとも１つを含み、前記復号器仕様はプロフィールおよびレベル情報とプロフィールおよびレベル制約情報とのうちの少なくとも１つにより示される、請求項１４に記載の方法。
【請求項１６】
前記符号化されていないカメラ・ビュー情報は、符号化されていないカメラ・ビューの数と符号化されていないカメラ・ビューの各々の特性とのうちの少なくとも一方を含み、前記符号化されたカメラ・ビューの数は、前記マルチビュー・ビデオ・コンテンツに対応する符号化されたカメラ・ビューの合計数のうちの１つ以上である、請求項１３に記載の方法。
【請求項１７】
前記符号化されていないビューの各々の特性は、ビュー識別子、ビュー補間情報、および、カメラ・パラメータの少なくとも１つを含む、請求項１６に記載の方法。
【請求項１８】
前記フリー・ビューポイント情報は、所与のビューポイントおよびビューアングルで少なくとも１つのビューを生成するためのパラメータおよび方法のうちの少なくとも１つを含む、請求項１３に記載の方法。
【請求項１９】
前記少なくとも１つのビューを生成するためのパラメータは、カメラ・アレイ設定、ナビゲーション空間の解像度、該ナビゲーション空間における特定の位置をレンダリングするための符号化されたカメラ・ビューのセットうちの少なくとも１つを含む、請求項１８に記載の方法。
【請求項２０】
前記少なくとも１つのハイレベル・シンタックスエレメントは、ビットストリームに関して、インバンドおよびアウトオブバンドの少なくとも一方で送信される、請求項１１に記載の方法。
【請求項２１】
得られたビットストリームからのマルチビュー・ビデオ・コンテンツと、少なくとも１つのハイレベル・シンタックスエレメントからのマルチビュー・ビデオ・コンテンツのためのマルチビュー符号化情報とを復号する復号器を含む、装置。
【請求項２２】
前記少なくとも１つのハイレベル・シンタックスエレメントは、スライス・ヘッダ、シーケンス・パラメータ・セット、ピクチャ・パラメータ・セット、ビュー・パラメータ・セット、ネットワーク抽象化レイヤー・ユニット・ヘッダ、および、付加拡張情報メッセージのうちの少なくとも１つを含む、請求項２１に記載の装置。
【請求項２３】
前記マルチビュー符号化情報は、符号化されたカメラ・ビュー情報、符号化されていないカメラ・ビュー情報、および、フリー・ビューポイント情報のうちの少なくとも１つを含む、請求項２１に記載の装置。
【請求項２４】
前記符号化されたカメラ・ビュー情報は、符号化されたカメラ・ビューの数と符号化されたカメラ・ビューの各々の特性との少なくとも一方を含み、前記符号化されたカメラ・ビューの数は、前記マルチビュー・ビデオ・コンテンツに対応する符号化されたカメラ・ビューの合計数のうちの１つ以上である、請求項２３に記載の装置。
【請求項２５】
前記符号化されたカメラ・ビューの各々の特性は、スケーラビリティ情報、ビュー・スケーラビリティ情報、ビュー依存性情報、関心領域情報、ビットレート、フレームサイズ、フレームレート、初期パラメータ・セット、カメラ・パラメータ、復号器仕様、ビットストリーム制限情報、ビュー識別子、および符号化順情報のうちの少なくとも１つを含み、前記スケーラビリティ情報は、時間スケーラビリティ情報、空間スケーラビリティ情報、および、ＳＮ比スケーラビリティ情報のうちの少なくとも１つを含み、前記復号器仕様はプロフィールおよびレベル情報とプロフィールおよびレベル制約情報とのうちの少なくとも１つにより示される、請求項２４に記載の装置。
【請求項２６】
前記符号化されていないカメラ・ビュー情報は、符号化されていないカメラ・ビューの数と符号化されていないカメラ・ビューの各々の特性とのうちの少なくとも一方を含み、前記符号化されたカメラ・ビューの数は、前記マルチビュー・ビデオ・コンテンツに対応する符号化されたカメラ・ビューの合計数のうちの１つ以上である、請求項２３に記載装置。
【請求項２７】
前記符号化されていないビューの各々の特性は、ビュー識別子、ビュー補間情報、および、カメラ・パラメータの少なくとも１つを含む、請求項２６に記載の装置。
【請求項２８】
前記フリー・ビューポイント情報は、所与のビューポイントおよびビューアングルで少なくとも１つのビューを生成するためのパラメータおよび方法のうちの少なくとも１つを含む、請求項２３に記載の装置。
【請求項２９】
前記少なくとも１つのビューを生成するためのパラメータは、カメラ・アレイ設定、ナビゲーション空間の解像度、ナビゲーション空間における特定の位置をレンダリングするための符号化されたカメラ・ビューのセットうちの少なくとも１つを含む、請求項２８に記載の装置。
【請求項３０】
前記少なくとも１つのハイレベル・シンタックスエレメントは、ビットストリームに関して、インバンドおよびアウトオブバンドの少なくとも一方で受信される、請求項２１に記載の装置。
【請求項３１】
得られたビットストリームからのマルチビュー・ビデオ・コンテンツと、少なくとも１つのハイレベル・シンタックスエレメントからのマルチビュー・ビデオ・コンテンツのためのマルチビュー符号化情報とを復号することを含む、方法。
【請求項３２】
前記少なくとも１つのハイレベル・シンタックスエレメントは、スライス・ヘッダ、シーケンス・パラメータ・セット、ピクチャ・パラメータ・セット、ビュー・パラメータ・セット、ネットワーク抽象化レイヤー・ユニット・ヘッダ、および、付加拡張情報メッセージのうちの少なくとも１つを含む、請求項３１に記載の方法。
【請求項３３】
前記マルチビュー符号化情報は、符号化されたカメラ・ビュー情報、符号化されていないカメラ・ビュー情報、および、フリー・ビューポイント情報のうちの少なくとも１つを含む、請求項３１に記載の方法。
【請求項３４】
前記符号化されたカメラ・ビュー符号化情報は、符号化されたカメラ・ビューの数と符号化されたカメラ・ビューの各々の特性との少なくとも一方を含み、前記符号化されたカメラ・ビューの数は、前記マルチビュー・ビデオ・コンテンツに対応する符号化されたカメラ・ビューの合計数のうちの１つ以上である、請求項３３に記載の方法。
【請求項３５】
前記符号化されたカメラ・ビューの各々の特性は、スケーラビリティ情報、ビュー・スケーラビリティ情報、ビュー依存性情報、関心領域情報、ビットレート、フレームサイズ、フレームレート、初期パラメータ・セット、カメラ・パラメータ、復号器仕様、ビットストリーム制限情報、ビュー識別子、および符号化順情報のうちの少なくとも１つを含み、前記スケーラビリティ情報は、時間スケーラビリティ情報、空間スケーラビリティ情報、および、ＳＮ比スケーラビリティ情報のうちの少なくとも１つを含み、前記復号器仕様はプロフィールおよびレベル情報とプロフィールおよびレベル制約情報とのうちの少なくとも１つにより示される、請求項３４に記載の方法。
【請求項３６】
前記符号化されていないカメラ・ビュー情報は、符号化されていないカメラ・ビューの数と符号化されていないカメラ・ビューの各々の特性とのうちの少なくとも一方を含み、前記符号化されたカメラ・ビューの数は、前記マルチビュー・ビデオ・コンテンツに対応する符号化されたカメラ・ビューの合計数のうちの１つ以上である、請求項３３に記載の方法。
【請求項３７】
前記符号化されていないビューの各々の特性は、ビュー識別子、ビュー補間情報、および、カメラ・パラメータの少なくとも１つを含む、請求項３６に記載の方法。
【請求項３８】
前記フリー・ビューポイント情報は、所与のビューピントおよびビューアングルで少なくとも１つのビューを生成するためのパラメータおよび方法のうちの少なくとも１つを含む、請求項３３に記載の方法。
【請求項３９】
前記少なくとも１つのビューを生成するためのパラメータは、カメラ・アレイ設定、ナビゲーション空間の解像度、該ナビゲーション空間における特定の位置をレンダリングするための符号化されたカメラ・ビューのセットうちの少なくとも１つを含む、請求項３８に記載の方法。
【請求項４０】
前記少なくとも１つのハイレベル・シンタックスエレメントは、ビットストリームに関して、インバンドおよびアウトオブバンドの少なくとも一方で受信される、請求項３１に記載の方法。
【請求項４１】
得られたビットストリームにおける符号化されたマルチビュー・ビデオ・コンテンツを含み、前記マルチビュー・コンテンツのためのマルチビュー符号化情報は少なくとも１つのハイレベル・シンタックスエレメントで符号化される、ビデオ符号化に適したビデオ信号構造。
【請求項４２】
得られたビットストリームにおける符号化されたマルチビュー・ビデオ・コンテンツを含み、前記マルチビュー・コンテンツのためのマルチビュー符号化情報は少なくとも１つのハイレベル・シンタックスエレメントで符号化される、符号化されたビデオ信号データが記憶された記憶媒体。